(57)【要約】      （修正有）【課題】両手が自由に使えて、人体の左右の耳どちらか一方に送受話器の受話部を耳付近に直接に位置させて受話することができ、また人体の左右の両耳に同時に送受話器の受話部を耳付近に直接に位置させて受話することができるヘッドセットの提供。【解決手段】本発明のヘッドセットは、人体の頭部に装着することができる装着手段を備え、この装着手段に送話部と受話部を備えた送受話器を係止できる係止手段を備え、この係止手段に送受話器の受話部を人体の耳付近に直接に位置させて保持する保持手段を備え、この保持手段は、人体の左右の耳それぞれに、送受話器の受話部を耳付近に直接に位置させることができ、また、保持手段は、人体の左右の両耳に同時に送受話器の受話部を耳付近に直接に位置させることができる。【選択図】図８
2007312344.tif 000002
【特許請求の範囲】
【請求項１】
ヘッドセットは、人体の頭部に装着することができる装着手段を備え、この装着手段に送話部と受話部を備えた送受話器を係止できる係止手段を備え、この係止手段に送受話器の受話部を人体の耳付近に直接に位置させて保持する保持手段を備え、この保持手段は、人体の左右の耳それぞれに、送受話器の受話部を耳付近に直接に位置させることができ、また、保持手段は、人体の左右の両耳に同時に送受話器の受話部を耳付近に直接に位置させることができることを特徴とするヘッドセット。
【発明の詳細な説明】
【技術分野】
【０００１】本発明は、ヘッドセットに関し、特に送受話器の保持に関する。
【背景技術】
【０００２】従来の両手が自由に使えて送受話器を保持できる物では、左右の耳どちらかの一方だけを使用する物が一般的であり、送話部と受話部を備えた送受話器の受話部を人体の耳付近に直接に位置させて、しかも左右の両耳を同時に送受話器の受話部を人体の耳付近に直接に位置できるのは困難であった。この為に左右の両耳を使って同時に送受話器を使う場合には、イヤーホーン式の受話部となる物を使用していた。
【発明の開示】
【発明が解決しようとする課題】
【０００３】本発明のヘッドセットは、両手が自由に使えて、人体の左右の耳どちらか一方に送受話器の受話部を耳付近に直接に位置させて受話することができ、また、人体の左右の両耳に同時に送受話器の受話部を耳付近に直接に位置させて受話することを可能とする。
【課題を解決するための手段】
【０００４】本発明のヘッドセットは、人体の頭部に装着することができる装着手段を備え、この装着手段に送話部と受話部を備えた送受話器を係止できる係止手段を備え、この係止手段に送受話器の受話部を人体の耳付近に直接に位置させて保持する保持手段を備え、この保持手段は、人体の左右の耳それぞれに、送受話器の受話部を耳付近に直接に位置させることができ、また、保持手段は、人体の左右の両耳に同時に送受話器の受話部を耳付近に直接に位置させることができる。
【発明の効果】
【０００５】本発明のヘッドセットは、両手が自由に使え、送受話器の受話部を直接に耳付近に位置させて受話することができ通話ができる。また、左右の両耳に送受話器の受話部を直接に耳付近に位置させて左右の両耳が同時に受話することができ通話ができる。
【発明を実施するための最良の形態】
【０００６】図１は、人体の頭部にヘッドセットを装着した図であり、ヘッドセットは、伸縮性の適宜素材であり、人体の頭部に装着した場合に落下する事のない筒型の形状である。これにより人体の頭部に装着することができる装着手段となる。図２は、ヘッドセットの面ファスナーａの位置を表した図であり、この面ファスナーａは、ヘッドセットが人体の頭部に装着された場合には、ヘッドセットの内側に縫製されている。図３は、一般電話子機ａの面ファスナーｂの位置を表した図であり、一般電話子機ａの受話部の背面側に面ファスナーｂを符号Ｍ２ｂの両面テープにて貼り付けている。これら面ファスナーａ，ｂの結合構造により、装着手段に送話部と受話部を備えた送受話器を係止できる係止手段となる。図４は、ヘッドセットが一般電話子機ａを保持している断面を表した図であり、ヘッドセットに係止されている一般電話子機ａは、ヘッドセットの素材の伸縮性により、受話部背面から受話部の内側に押さえられている。この場合には、送受話器の受話部を耳付近に位置できる。これらにより係止手段に送受話器の受話部を人体の耳付近に直接に位置させて保持する保持手段となる。図５は、ヘッドセットが一般電話子機ａを保持している側面から見た図ある。図６は、ヘッドセットが一般電話子機ａを左耳付近で保持している図である。図７は、ヘッドセットが一般電話子機ａを右耳付近で保持している図ある。保持手段は、人体の左右の耳それぞれに、送受話器の受話部を耳付近に直接に位置させることができる。図８は、ヘッドセットが一般電話子機ａ，ｂを左右の両耳付近で保持している図である。図９は、ヘッドセットが一般電話親機ａ，ｂを左右の両耳付近で保持している図である。図１０は、ヘッドセットが携帯電話ａ，ｂを左右の両耳付近で保持している図である。保持手段は、人体の左右の両耳に同時に送受話器の受話部を耳付近に直接に位置させることができる。これらの実施形態に於いて一般電話子機ａ，ｂと一般電話親機ａ，ｂと携帯電話ａ，ｂのそれぞれの送受話器の種類に関わらずに両手を使わずに人体の左右の両耳に同時に送受話器の受話部を耳付近に直接に位置させることができる。図１１は、ヘッドセットをキャップ形状にした場合の図であり、ヘッドセットの形状はキャップ型とできる。図１２は、ヘッドセットをキャップ形状にした場合の一般電話子機ａを保持している側面図であり、ヘッドセットの形状をキャップ型にしても一般電話子機ａを保持できる。図１３は、ヘッドセットをキャップ形状にした場合の一般電話子機ａ，ｂを左右の両耳付近で保持している図であり、ヘッドセットの形状をキャップ型にしても一般電話子機ａｂを保持できる。キャップに穴を開けたり、鍔つきの帽子形状でも同じ効果が得られる。（図省略）ヘッドセットは、人体の頭部に装着することができる装着手段を備えることができ、この装着手段に、送受話器を係止できる係止手段を備えることができる。この係止手段に送受話器の受話部を人体の耳付近に直接に位置させて保持する保持手段を備えることができ、この保持手段は、人体の左右の耳それぞれに、送受話器の受話部を耳付近に直接に位置させることができる。また、保持手段は、人体の左右の両耳に同時に送受話器の受話部を耳付近に直接に位置させることができ、受話部から直接受話ができ通話ができる。
【図面の簡単な説明】
【０００７】図１は、人体の頭部にヘッドセットを装着した図
図２は、ヘッドセットの面ファスナーａの位置を表した図
図３は、一般電話子機ａの面ファスナーｂの位置を表した図
図４は、ヘッドセットが一般電話子機ａを保持している断面を表した図
図５は、ヘッドセットが一般電話子機ａを保持している側面から見た図
図６は、ヘッドセットが一般電話子機ａを左耳付近で保持している図
図７は、ヘッドセットが一般電話子機ａを右耳付近で保持している図
図８は、ヘッドセットが一般電話子機ａ，ｂを左右の両耳付近で保持している図
図９は、ヘッドセットが一般電話親機ａ，ｂを左右の両耳付近で保持している図
図１０は、ヘッドセットが携帯電話ａ，ｂを左右の両耳付近で保持している図
図１１は、ヘッドセットをキャップ形状にした場合の図
図１２は、ヘッドセットをキャップ形状にした場合の一般電話子機ａを保持している側面図
図１３は、ヘッドセットをキャップ形状にした場合の一般電話子機ａ，ｂを左右の両耳付近で保持している図
【符号の説明】
【０００８】符号１      ヘッドセット
符号２ａ    一般電話子機ａ
符号２ｂ    一般電話子機ａ
符号３ａ    携帯電話ａ
符号３ｂ    携帯電話ｂ
符号４ａ    一般電話親機ａ
符号４ｂ    一般電話親機ａ
符号４ｃ    一般電話線
符号Ｍ１    面ファスナーａ
符号Ｍ２    面ファスナーｂ
符号Ｍ２ｂ  両面テープ
【図１】
2007312344.tif 000003
【図２】
2007312344.tif 000004
【図３】
2007312344.tif 000005
【図４】
2007312344.tif 000006
【図５】
2007312344.tif 000007
【図６】
2007312344.tif 000008
【図７】
2007312344.tif 000009
【図８】
2007312344.tif 000010
【図９】
2007312344.tif 000011
【図１０】
2007312344.tif 000012
【図１１】
2007312344.tif 000013
【図１２】
2007312344.tif 000014
【図１３】
2007312344.tif 000015